【手続補正書】
【提出日】平成20年8月11日(2008.8.11)
【手続補正１】
【補正対象書類名】明細書
【補正対象項目名】特許請求の範囲
【補正方法】変更
【補正の内容】
【特許請求の範囲】
【請求項１】  複数の入力ポートおよび複数の出力ポートを有する少なくとも１つの周波数ルータを含む複数の出力チャネルへ光信号を経路選択するための光ルータであって、各光信号はあて先情報を含み、少なくとも１つの入力ポートは、周波数経路選択されるべき少なくとも２つの光信号を同時に受信し、少なくとも１つの出力ポートは、少なくとも２つの周波数経路選択された光信号を同時に提供し、少なくとも１つの出力ポートは、複数の出力チャネルへ経路選択された光信号を結合するものであり、周波数経路選択されるべき各光信号は、あて先情報に応じて特定の色に色づけされることを特徴とする光ルータ。
【請求項２】  各々が、経路選択されるべき前記少なくとも２つの光信号を結合するための複数のコンバイナと、各々が、あて先情報に応じて、前記少なくとも２つの経路選択された光信号の各々を、意図されたあて先に分離する複数の受信機とをさらに有することを特徴とする請求項１記載の光ルータ。
【請求項３】  前記周波数ルータは、光信号を色により経路選択し、
経路選択されるべき前記少なくとも２つの光信号は、異なる色を有し、
前記少なくとも２つの経路選択された光信号は、異なる色を有することを特徴とする請求項２記載の光ルータ。
【請求項４】  前記光ルータは、データパケットを受信し、
各データパケットは、あて先情報を有し、
各コンバイナは、複数のコンバータのうちの少なくとも１つと結合されており、
各コンバータは、少なくとも１つのデータパケットを、前記対応する少なくとも１つのデータパケットのあて先情報に応じて色づけされた光信号に変換することを特徴とする請求項３記載の光ルータ。
【請求項５】  前記周波数ルータは、
少なくとも１つの入力導波路と、
少なくとも１つの出力導波路と、
第１および第２の自由空間領域と、
複数の不等長導波路を有する光グレーティングとを含み、
前記第１の自由空間領域は前記少なくとも１つの入力導波路に結合されており、前記第２の自由空間領域は前記少なくとも１つの出力導波路に結合されており、
各不等長導波路は、前記第１の自由空間領域と、前記第２の自由空間領域との間に結合されていることを特徴とする請求項４記載の光コンバータ。
【請求項６】  各々が、あて先情報を有する複数のデータパケットＮを複数の出力チャネルへ経路選択するための光ルータにおいて、各々がデータパケットを受信しかつ結合および経路選択されるべき光信号を提供する複数のコンバータと、
各々が経路選択されるべき少なくとも２つの光信号を結合する複数のコンバイナと、
複数の入力ポートＭおよび出力ポートＭを有する少なくとも１つの周波数ルータと、
前記出力チャネルに対応し、意図されたあて先に対応する複数の出力を有する複数の受信機と、
少なくとも２つの受信機のうちの少なくとも一方が、少なくとも２つの経路選択された光信号のうちの一方を意図されたあて先に送るように調節されるように、各々が、少なくとも２つの受信機間で少なくとも２つの経路選択された光信号を分割する複数のスプリッタとを有し、
各光信号は、それぞれのデータパケットのあて先情報に応じて色づけされており、
前記周波数ルータの少なくとも１つの出力ポートは、経路選択されるべき少なくとも２つの光信号を同時に受信し、少なくとも１つの出力ポートは、少なくとも２つの経路選択された光信号を同時に提供し、少なくとも１つの出力ポートは、経路選択された光信号を複数の出力チャネルへ結合し、前記少なくとも１つの周波数ルータは、前記あて先情報に応じて、色により光信号を経路選択することを特徴とする光ルータ。
【請求項７】  各々が、あて先情報を有する複数のデータパケットＮを複数の出力チャネルへ経路選択するための光ルータにおいて、各々が、データパケットを受信し、結合および経路選択されるべき光信号を提供する複数の第１段コンバータと、
各々が、経路選択されるべき少なくとも２つの光信号を結合する複数の第１段のコンバイナと、
複数の入力ポートＭおよび複数の出力ポートＭを有する第１段の周波数ルータと、各々が、結合および経路選択されるべき第２段の光信号を提供する複数の第２段のコンバータと、
各々が、第１段の周波数ルータからの少なくとも２つの経路選択された光信号の各々を第２段のコンバータに提供する複数の第２段のデマルチプレクサと、
各々が、経路選択されるべき少なくとも２つの第２段の光信号を結合する複数の第２段のコンバイナと、
複数の第２段の入力ポートＭおよび複数の第２段の出力ポートＭを有する第２段の周波数ルータとを有し、
前記光信号の各々は、データパケットのあて先情報に応じて色づけされており、
前記第１段の周波数ルータの少なくとも１つの出力ポートは、経路選択されるべき結合された少なくとも２つの光信号を受信し、少なくとも１つの出力ポートは、少なくとも２つの第１段の経路選択された光信号を同時に提供し、少なくとも１つの出力ポートは、経路選択された光信号を複数の出力チャネルへ結合し、前記第１段の周波数ルータは、光信号を前記あて先情報に応じて色により経路選択し、第２段の光信号の各々は、それぞれのデータパケットのあて先情報に応じて色づけされており、前記第２段の周波数ルータの少なくとも１つの第２段の入力ポートは、経路選択されるべき少なくとも２つの第２段の光信号を同時に受信し、少なくとも１つの第２段の出力ポートは、少なくとも２つの第２段の経路選択された光信号を同時に提供し、少なくとも１つの出力ポートは、経路選択された光信号を複数の出力チャネルへ結合し、前記第２段の周波数ルータは、第２段の光信号を色により経路選択することを特徴とする光ルータ。
【請求項８】  それぞれ、第１、第２および第３のデータパケットのための第１、第２および第３のあて先を決定するステップと、
それぞれ、前記第１、第２および第３のあて先に関連する第１、第２および第３の周波数を有する第１、第２および第３のキャリア信号を生成するステップと、
第１、第２および第３の光信号を形成するために、前記第１、第２および第３のデータパケットに応じて、前記第１、第２および第３のキャリア信号を変調するステップと、
第１、第２および第３の光信号を、周波数ルーティングデバイスにより経路選択するステップとを有し、
前記経路選択するステップは、周波数ルータの第１の入力において、前記第１、第２および第３の信号のうちの少なくとも２つを同時に受信するステップと、
前記周波数ルータの第１の出力から、前記第１、第２および第３の経路選択された光信号のうちの少なくとも２つを同時に提供するステップと、
少なくとも１つの出力ポートから経路選択された光信号を、複数の出力チャネルへ結合するステップとを含むことを特徴とする光信号を複数の出力チャネルへ経路選択するための方法。
【請求項９】  複数の入力ポートおよび複数の出力ポートを有するルータにより、色の関数として、複数の光信号を経路選択するための方法において、
その中に含まれるあて先情報の関数としてそれぞれ色づけされた少なくとも２つの光信号を、前記入力ポートの少なくとも１つで同時に受信するステップと、
それらの色の関数として経路選択された少なくとも２つの光信号を、前記出力ポートのうちの少なくとも１つへ同時に提供するステップと、
経路選択された光信号を、少なくとも１つの出力ポートから複数の出力チャネルへ結合するためのステップとを有することを特徴とする方法。
【請求項１０】  複数の入力ポートおよび複数の出力ポートを有するルータとの組み合わせで使用する方法であって、前記ルータは、その入力ポートに与えられる光信号を、前記光信号のそれぞれの色の関数として前記出力ポートのうちの特定の１つに経路選択するタイプであるものにおいて、
複数の光信号の各々を、前記入力ポートのそれぞれ１つに与えるステップを含み、このステップは、前記入力ポートの個々のものに、前記光信号に含まれるあて先情報の関数としてそれぞれ色づけされた少なくとも２つの光信号を同時に与えるステップを含み、前記光信号のうちの少なくとも２つは、前記出力ポートのうちの特定の１つに同時に経路選択されることを特徴とする方法。